(57)【要約】流体分配装置（１０）は、中に内部流体貯蔵領域（２２）を有する容器（２０）を備える。可撓性計量筐体（２６）が、上記流体貯蔵領域（２２）と流体連通して設けられ、上記容器と可撓性計量筐体（２６）との間に第１の一方向弁（３０）が配置される。上記容器（２０）の内部流体貯蔵領域（２２）からの一方向の流れは、ボタン（３６）が押下されてから解放されると、所定容積の計量室（３２）を減圧作用によって流体で満たす。第２の弁（４０）は、計量筐体（２６）と流体連通し、計量筐体（２６）が再び押下されると一方向流体流を計量室（３２）から容器（２０）の外部領域に通す。計量筐体（２６）が押下される度に、ほぼ等量の流体（２４）が容器（２０）から計量分配される。容器（２０）の外面のさらなる発泡層（１２）により、流体（２４）の散布及び分配が容易となる。
2007528327.tif 000002
【特許請求の範囲】
【請求項１】
流体分配装置であって、
外表面及び開口を有し、中に内部流体貯蔵領域、及び外部領域を画定している容器と、
所定容積を有する計量室を中に有し、前記第１の開口を介して前記流体貯蔵領域と流体連通して配置される可撓性計量筐体であって、前記容器と該可撓性計量筐体との間に配置されるとともに、前記容器の前記内部流体貯蔵領域から前記計量室に一方向の流体流を通すことで前記計量室の前記所定容積を満たすようにする第１の弁を有し、計量筐体出力ポートをさらに有する、可撓性計量筐体と、
第２の弁であって、第２の弁出力ポートを有し、前記計量筐体出力ポートと流体連通し、前記計量室から、前記可撓性計量筐体の前記所定容積にほぼ等しい流体量を有する前記容器の前記外部領域に、一方向の流体流を通すようにする第２の弁と
を備える、流体分配装置。
【請求項２】
前記容器の前記外部領域の周りに流体を分配する手段をさらに備える、請求項１に記載の流体分配装置。
【請求項３】
前記分配する手段は、前記容器の周りに位置する発泡層である、請求項２に記載の流体分配装置。
【請求項４】
前記分配する手段は、前記容器の周りに位置する織物層である、請求項２に記載の流体分配装置。
【請求項５】
一端が、前記第２の弁出口ポートに、他端が、前記容器によって画定されている出口ポートに接続される、流体導管をさらに備える、請求項１に記載の流体分配装置。
【請求項６】
前記計量筐体出力ポートと前記第２の弁との間に配置される流体導管をさらに備える、請求項１に記載の流体分配装置。
【請求項７】
前記容器に接続される入口ポートをさらに備える、請求項１に記載の流体分配装置。
【請求項８】
前記第２の弁出力ポート及び前記出口ポートは互いに前記容器の対向側にある、請求項５に記載の流体分配装置。
【請求項９】
前記流体導管は、前記容器の前記内部流体貯蔵領域中に経路付けされる、請求項５に記載の流体分配装置。
【請求項１０】
複数の第２の弁をさらに備える、請求項１に記載の流体分配装置。
【請求項１１】
前記第１の弁及び前記第２の弁は一方向逆止弁である、請求項１に記載の流体分配装置。
【請求項１２】
前記容器に接続されるストラップをさらに備える、請求項１に記載の流体分配装置。
【請求項１３】
一端が前記第２の弁出力ポートに、且つ、前記容器によって画定されている複数の出口ポートにそれぞれ接続される、複数の流体導管をさらに備える、請求項５に記載の流体分配装置。
【請求項１４】
前記容器は、中に少なくとも１つのノッチを画定している、請求項２に記載の流体分配装置。
【請求項１５】
前記計量筐体に前記第１の弁と近接して連結されて、該第１の弁が遮断しないようにする支柱手段をさらに備える、請求項の流体分配装置。
【請求項１６】
前記支柱手段は少なくとも１つの脚部である、請求項１５に記載の流体分配装置。
【請求項１７】
前記支柱手段はばねである、請求項１５に記載の流体分配装置。
【請求項１８】
前記容器に取り付けられる枠と、
前記枠に取り付けられるアプリケータ部材と
をさらに備える、請求項１に記載の流体分配装置。
【請求項１９】
流体を分配する方法であって、
外表面、開口、及び中に内部流体貯蔵領域を有する容器を設けること、
前記内部流体貯蔵領域内に或る量の流体を供給すること、
所定容積を有する計量室を中に有し、前記第１の開口を介して前記流体貯蔵室と流体連通して配置される、可撓性計量筐体を設けること、
前記容器と前記可撓性計量筐体との間に配置されて、前記容器の前記内部流体貯蔵領域から前記計量室に一方向の流体流を通すようにする第１の弁を設けること、
第２の弁が前記計量室との間に配置される、前記容器と流体連通する出口ポートを設けること、
前記可撓性計量筐体を押下すること、
前記可撓性計量筐体を解放すること、
前記計量室を該計量室の容積量だけ真空力によって或る量の流体で満たすこと、
前記可撓性計量筐体を再び押下すること、及び
前記計量室内の前記或る量の流体を前記第２の弁を介して前記出口ポートから押し出すこと
を含む、流体を分配する方法。
【請求項２０】
前記容器の前記外表面に近接した前記出口ポートから出た流体を散布するステップをさらに含む、請求項１９に記載の流体を分配する方法。
【請求項２１】
一端が、前記第２の弁に、他端が、前記容器によって画定されている前記出口ポートに接続される、流体導管を設けるステップ、及び
前記計量室からの流体を前記出口ポートから出るように経路付けするステップ
をさらに含む、請求項１９に記載の流体を分配する方法。
【請求項２２】
前記流体導管は、前記容器の前記内部流体貯蔵領域中に位置付けされる、請求項２１に記載の流体を分配する方法。
【請求項２３】
前記或る量の流体を押し出すステップは、該或る量の流体を放射状パターンで外方に押し出すことである、請求項１９に記載の流体を分配する方法。
【請求項２４】
前記容器の前記外表面の周りに流体を流すのに役立つ少なくとも１つのノッチを前記容器内に設けるステップをさらに含む、請求項１９に記載の流体を分配する方法。
【請求項２５】
前記第１の弁が遮断しないようにするステップをさらに含む、請求項１９に記載の流体を分配する方法。
【発明の詳細な説明】
【技術分野】
【０００１】
［発明の背景］
本発明は、包括的に、計量分配装置及びパッケージに関する。より詳細には、本発明は、流体媒体源から流体媒体を制御可能に分配することができる計量装置に関する。
【０００２】
［関連出願の相互参照］
本願は、２００４年３月１０日に出願された、先の米国仮出願第６０／５５１，９９３号からの優先権を主張する。
【背景技術】
【０００３】
種々のタイプの流体材料及び媒体が、商業及び産業全体を通して種々の異なる目的に用いられている。例えば、かかる材料源から流体材料を何らかの形式で分配することを必要とする、パーソナルケア、ホームケア、エアケア、輸送ケア、及び食品産業における種々の製品が見られる。このような材料は、市販される際に何らかの形式の容器に収容及び貯蔵されなければならない。そのような製品は、使用する際には、使用のためにその貯蔵容器から或る位置へ分配されねばならない。
【０００４】
従来技術において、流体材料を分配するための多くの種々の形式の計量分配が見られる。例えば、ノズルチップを備えた可撓性容器体がこのような目的のために一般的に提供されている。かかる使用用途は、使用者が容器体を絞ってノズルチップから所望の位置に正確に流体材料を押し出す、ケチャップの分配のためのものである。分配される流体の量は、使用者が容器体をどの程度絞ったかに応じて決まる。しかしながら、このようなやり方は、容器体を続けて絞る度に流体材料がより多く又はより少なく分配される、一定でない結果を生む。また、このような容器は、弁を全く採用していないため、漏れないように真っ直ぐに保持されなければならない。
【０００５】
従来技術の分配装置の別の例では、可撓性容器は分配すべき或る量の流体材料を保持する。１つの一方向逆止弁が可撓性容器からの出口ポートとして設けられる。可撓性体が絞られると、材料が圧力下で弁を介して押し出される。
【０００６】
流体材料を分配するだけでなく、それらを表面等に施すのに役立たせることも要望されている。従来技術では、このために、絞り出し可能な（squeezable：スクイズ可能な）容器体に何らかの形式のアプリケータヘッドが備わっている。例えば、パーソナルケア産業では、ボディウォッシュ用具は一般的に、何らかの形式の絞り出し可能な容器体、及びそれに適用される織物又は発泡体等の研磨用アプリケータ部材を有する。したがって、流体材料が容器体外にあるときに、アプリケータが、アプリケータ内の流体を散布することで使用者の身体にこの材料を広げ延ばして、より良好且つより均一な分配を行うようにするのに役立つ。アプリケータは、均一且つ滑らかな高品質コーティングを確実にするために、靴磨き等のパーソナルケア産業での均一な分配に特に有用である。
【０００７】
容器体の周りに位置するアプリケータに流体材料を容易に分配することができる計量分配装置を提供することが、従来技術において試みられている。これらの従来技術の装置は、例えば、容器本体の出口ポートを開いて外側のアプリケータ部材層に流出させるようにするばね付勢ボタンを採用している。これは対照的に、使用者が容器体全体を絞るようにする必要がある。しかしながら、これらの装置は、単に容器体を開いて重力によってアプリケータ部材に流体を流すようにするため、各分配作業にてほぼ等量の流体を分配することができない。結果として、流体材料は容器の下側面に存在せざるを得なくなる。したがって、容器の２つ以上の側面に、すなわち重力の方向とは反対の方向に流体を分配することができない。重力とは関係なく流体材料を分配するために、上述の欠点すべてを有する従来技術において絞り出し可能な容器体が用いられなければならない。
【発明の開示】
【発明が解決しようとする課題】
【０００８】
上記に鑑みて、従来技術の流体分配及び装置は、使用を困難且つ不便にするとともに予期せぬ結果を伴うという種々の欠点を被る。したがって、流体分配装置の動作が容易である必要がある。さらに、流体分配装置が、流体材料をより良好に施す期待流量で各分配作業時に定量の流体を分配することが可能である必要がある。また、かかる計量分配装置が重力に左右されない必要がある。さらに、流体が、容器の表面の任意の地点に存在するように分配されることが可能である必要がある。さらに、計量分配装置が、所望に応じて、流体材料を均一に分布する且つ均一に施すためにアプリケータ部材を備える必要がある。
【課題を解決するための手段】
【０００９】
本発明は、従来技術の計量分配装置の利点を存続させている。さらに、本発明は、現在利用可能な装置には見られない新たな利点を提供し、且つ、そのような現在利用可能な装置の多くの欠点を克服する。
【００１０】
本発明は、包括的に、計量された流体材料の均一な分布のための任意選択的なアプリケータを備えた、各計量作業時にほぼ等量の定量の流体材料を分配する新規且つ特有の計量分配装置を対象とする。
【００１１】
流体分配装置は、中に内部流体貯蔵領域を備えた容器を備える。可撓性計量筐体が流体貯蔵領域と流体連通して配置され、容器と可撓性計量筐体との間に第１の一方向弁が配置される。容器の内部流体貯蔵領域からの一方向の流れは、可撓性計量筐体が押下され、次いで解放されると、所定容積の計量室を減圧（真空）作用によって流体で満たす。第２の弁は、計量筐体出口ポートと流体連通し、計量筐体が再び押下されると、一方向流体流を計量室から容器の外部領域に通す。計量筐体が押下される度に、ほぼ等量の流体が容器から分配される。容器の外面のさらなる発泡層により、流体の散布及び分配が容易となる。
【００１２】
したがって、本発明の目的は、各分配作業からほぼ等量の流体材料を分配することができる流体分配装置を提供することである。
【００１３】
本発明の目的は、重力に左右されない流体分配装置を提供することである。
【００１４】
本発明のさらなる目的は、流体材料の均一な分配を確実にするアプリケータを備える流体分配装置を提供することである。
【００１５】
本発明の別の目的は、流体分配装置の任意の地点に流体流を分配することができる流体分配装置を提供することである。
【００１６】
本発明のさらなる目的は、流体分配装置から複数の位置に流体流を分配することができる流体分配装置を提供することである。
【００１７】
本発明の特徴である新規の特徴は、添付の特許請求の範囲内に記載されている。しかしながら、本発明の好適な実施形態は、他の目的及び関連する利点とともに、添付の図面に関する以下の詳述を参照することで最もよく理解されるであろう。
【発明を実施するための最良の形態】
【００１８】
［好適な実施形態の詳細な説明］
まず、図１及び図２を参照すると、本発明の計量分配装置（分配装置）１０が、全体として１２で示される、アプリケータ部材として作用する外カバーを有して示されている。このアプリケータ部材１２は、手近な用途に適するように任意のタイプの材料から形成されることができる。例えば、図１及び図２から分かるように、カバー１２は、好ましくは、使用の際に２つの目的を果たすために２つの異なるタイプの材料１２ａ、１２ｂから形成される。好ましくは、頂部１２ａは発泡材料から成り、底部１２ｂはメッシュ又は「プーフ（pouf）」材料から成る。頂部１２ａは、例えば溶接によって底部１２ｂに固着されることができる。図３に関してさらに詳細に後述するように、スナップフィットカバー１４が詰替ポート（re-fill port：詰替口）１６を密閉する。また、吊りストラップ又はコード１８も設けられ得る。アプリケータ１２の構成は、以下にさらに詳述する本発明の多くの異なる種々の形式の用途の１つにすぎない。
【００１９】
次に、図３を参照すると、図１の線３−３に沿った断面図が本発明の計量分配装置１０の内部構造を表すように示されている。中に或る量の流体材料２４を収容する流体貯蔵領域２２を有する容器体２０が設けられている。容器２０は、好ましくはプラスチック又はナイロン等の可撓性材料から作られる。したがって、流体材料２４が容器体２０内からなくなるにつれ、容器体は次第につぶれてコンパクトな構造となる。
【００２０】
計量筐体２６が、容器体２０の第１の開口２８に設けられる。計量筐体２６は、容器体２０の流体貯蔵領域２２から所定サイズの計量室３２に流体２４を引き込む、逆止弁等の一方向吸気弁３０を有する。任意の形式の弁を用いて所与の用途に適すようにすることができる。吸気弁３０は、計量筐体２６のベースプレート３４に位置付けされる。したがって、流体２４は、流体貯蔵領域２２から計量室３２への一方向にしか流れることができない。計量室３２は、アプリケータ部材１２内の間隙３８からアクセス可能且つ操作可能であるボタン又は突起（bulb）の形態をした可撓性膜３６によって画定されている。ボタン３６は、定量の流体材料２４が分配される準備が整っているときを消費者に示す指標を与えるために透明であることが好ましい。
【００２１】
出力弁４０が計量筐体２６の計量室３２と流体連通して設けられる。したがって、計量室内にある流体は出力弁４０からしか出ることができない。また、流体２４の出口に導くために流体導管４２が容器体中の任意の位置に設けられる。好ましくは、図３に見られるように、流体導管４２は計量筐体２６の出力弁４０を容器体の底面に位置する出口ポート４４に接続する。このため、流体２４が出る側とは反対側に計量筐体２６があるようにすることができる。流体導管４２は、手近な用途に応じて、容器体２０中の任意の地点で出るように導かれるとともにそのように位置付けられることができる。また、出力弁４０は、用途の要件に応じて代替として出口ポート４４に位置付けられてもよい。
【００２２】
依然として図３を参照して、計量分配装置１０の動作をさらに説明する。計量筐体２６のボタン３６が押下されて減圧動作が開始する。より具体的には、ボタン３６がさらに解放されると、流体２４が、容器体２０の流体貯蔵領域２２から、特定の既知の容積を有するように構成されている計量室３２に引き込まれる。ボタン３６の解放が行われると、計量室３２が実質的な容量まで満たされる。よって、定量の流体材料２４が計量室３２内に収容されて分配のための準備が整う。計量室３２のサイズは、分配すべき流体材料２４のタイプ及びその用途並びに所望の用量に応じて選択されることができる。
【００２３】
ボタン３６をさらに押下することにより、計量室３２内の定量の流体２４が計量筐体２６の出力弁４０から出るように付勢される。次いで、この既知の量の流体材料２４は、使用のためにアプリケータ１２に直接、又は図３に示すように流体導管４２を介して経路付けされて、さらに目標を定めてアプリケータ１２に導入される。この例では、定量の流体材料２４が容器体２０の底面に経路付けされて、その底面のアプリケータ部１２ｂに分散されるようにすることが好ましい。例えば、このような構成は特に、入浴用のボディウォッシュの分配によく適している。他の用途によっては、種々の異なる出口及びアプリケータ部材１２への導入位置が必要となる場合がある。
【００２４】
図４には、変更された計量筐体１２６を有する容器１２０の代替的な構造が示されている。この実施形態では、出力弁１２８のアレイが、計量筐体１２６の外周に放射状に位置付けされて、容器体２０の内部に経路付けされる流体導管４２を用いずに、流体材料１２４を同じ側のアプリケータ部材（説明を簡単にするために図４には示さず）に直接分配するようにする。このような放射状分配パターンは、スキンコンディショナの塗布等、計量筐体付近の内容物の同時分散を必要とする塗布装置における使用によく適している。
【００２５】
さらに、図５は、本発明の、変更された計量筐体２２６を有する容器２２０の別の代替的な構造を示し、ここでは、出力弁２２８のアレイが容器体２２０の頂面にわたって線形に位置付けされて、流体導管を採用せずに、流体材料を同じ側のアプリケータ部材（説明を簡単にするために図５には示さず）に直接分配するようにする。このような線形分配パターンは、装置の長軸に沿って線形ストロークに基くようにして流体を塗布するアプリケータとしての使用によく適している。
【００２６】
本発明によれば、流体材料２４の分配方向は、手近な用途に適するように容易に変更することができる。或る特定の用途では、容器体２０の頂面及び底面に位置するアプリケータ部材１２が、均一に分配されるようにして流体材料を受け取ることが望ましい。上述に示すように、流体材料２４は、所望に応じて、容器２０の任意の位置から導かれて流体を分配することができる。多くの場合、流体２４が容器２０の一方の側２０ａから容器２０の対向側２０ｂに、特にその縁２０ｃに確実に流れることができることが望ましい。
【００２７】
図１を再び参照すると、高品質（a quality）計量分配装置１０を製造する効率的な方法は、熱溶接を用いて、容器２０及びその上にアプリケータ部材１２を設けることである。例えば、頂部２０ａは通常、底部２０ｂの外周２０ｃに熱溶接されて、中に内部流体貯蔵領域２２を有する容器２０を形成する。アプリケータ部材１２も同様に、熱溶接によって、又は接着等の他の同様なプロセスによって、容器２０の外周又は容器２０との接触面全体に固着される。
【００２８】
容器２０の外周２０ｃに熱溶接シーム２０ｄが用いられる場合、これにより、一方の側のアプリケータ部材１２ａ内の流体２４の、他方の側のアプリケータ部材１２ｂへの、且つ、それとは逆に、他方の側のアプリケータ部材１２ｂ内の流体２４の、一方の側のアプリケータ部材１２ａへの流れ及びウィッキング（吸上）作用が低減する。したがって、流体２４は、容器のシーム２０ｄ及び対向側にあるアプリケータ部材１２のシーム１２ｄを乗り越えて移動せねばならない。このシーム１２ｄ、２０ｄは、容器２０の前面から後面へ、且つそれとは逆に後面から前面へ流体２４が自由に流れないようにする。
【００２９】
図６は、上記に示した問題に対処するための、容器２０に対する本発明の範囲内の変更形態を示す。より具体的には、複数のノッチ４６が容器２０の外周縁２０ｄに形成されて、容器２０の一方の側から他方の側へ流体材料２４を容易に流すことができるようにする。アプリケータ部材１２が容器の外周縁に熱シールされてシーム１２ｄを形成すると、複数の貫通開口４８がシーム２０ｄ、１２ｄとアプリケータ材料１２との間に形成されて、外周シーム１２ｄ、２０ｄを乗り越えて移動する必要なく、装置１０の一方の側から他方の側に、且つその逆に他方の側から一方の側に、流体材料２４を自由に流動させるようにすることができる。
【００３０】
次に、図１、図７、及び図８を参照すると、計量筐体２６の構造に対するさらなる向上が詳細に示されている。図１及び図７に見られるように、複数の支柱脚部５０が計量筐体２６のベースプレート３４から下方に出ている。これらの脚部５０は、ベースプレート３４が完全に底付きしないようにし、また、吸気弁３０への流体材料２４の流れを遮断する。支柱脚部５０は、容器２０内に残っている流体材料２４の量が残り少なくなっているとともに、容器２０の形状が比較的平坦となっている場合に特に有用である。このような状況では上記の底付きが起こる場合がある可能性がある。しかしながら、図１及び図７の支柱脚部５０の使用により、このような底付きが起こることが防止される。
【００３１】
図１を再び参照しながら、図８は、最大吸引を達成すること、及び、ボタン３６が押下及び解放される度に計量室３２全体を充填することを確実にするための、計量筐体２６のさらなる変更を示す。ばね付勢構造５２が計量筐体２６のボタン又は突起構造３６内にある。したがって、ボタン３６は、強度の吸引又は減圧を行うとともに迅速に復帰して、所望の定量容積の流体材料２４で計量室３２の内部を充填するようにする。ばね付勢構造５２にはコイルばねが好ましいが、このために板ばね及び発泡材料等の他のばね付勢構造を用いてもよい。
【００３２】
図９は、本発明のさらなる代替の実施形態３００を示し、ここでは、容器２２０又は１２０等の容器は、容器２２０から外方に出ている一連のタブ３０２を有する。外枠すなわち骨組３０４は、タブ３０２を介して容器２２０に連結される。次に、「プーフ」又は織物材等のアプリケータ部材３０６が、中に容器２２０を有した状態で枠３０４に取り付けられる。この実施形態３００は、計量分配装置３００の周りに流体材料を自由に流すことを可能にするのに特によく適している。
【００３３】
本発明の計量分配装置１０は、本発明の固有の定量性能を利用するための広範の多くの使用用途を有する。任意のタイプのアプリケータ部材又は種々の異なる構成のアプリケータ部材の組み合わせを有する実質的に任意の計量分配装置が、本発明を採用することができる。
【００３４】
例えば、パーソナルケア産業は、入浴ジェル及びシャワージェルを制御式に定量分配する際の特定の用途を有する。また、医薬製品、化粧品製品、ヘアケア製品（例えばシャンプー）、スキンケア製品（例えばローション）、防虫剤、及びサンスクリーン製品も本発明を採用することができる。
【００３５】
また、種々の家庭用製品を本発明による装置１０において分配することができる。これらの家庭用製品としては、家具用洗浄製品及び家具用研磨製品、浴槽用洗浄製品及びシャワー用洗浄製品、床用洗浄製品及び床用研磨製品、窓用洗浄製品、消臭剤製品、オーブン洗浄製品、ランドリークリーニング製品、及び衣類処理製品が挙げられる。また、空気処理装置も本発明を用いることができる。
【００３６】
さらに、自動車、オートバイ、飛行機、及びトラックを洗浄する製品等の洗浄製品を制御式に分配することができる。食品産業は、いくつかの可能性のある用途、特に薬味、ソース、及びビタミンを分配するための用途を有する。
【００３７】
本発明の計量分配装置１０を用いるために、計量筐体２６のサイズ及び構成、並びに流体材料２４を装置の表面のどこに分配するかの位置付けを、所与の用途に適するようにするために容易に変更することができる。容器２０及び計量筐体２６に用いられる材料は、好ましくは可撓性プラスチックであるが、手近な用途に適した任意の材料とすることができる。また、容器２０は、計量筐体２６とは異なる材料から作ることもできる。
【００３８】
最も重要なことには、所与の用途に適するように本発明を変更することは特に、アプリケータ部材１２自体の性質及び構成に関する。
【００３９】
アプリケータ部材１２は、連続気泡発泡体、織物、混合物、共押出し材料、及びそれらの組み合わせ等、発泡体とすることができる。これらの材料は、本発明の計量分配装置１０とともに用いることができる材料のタイプの例にすぎないことを理解されたい。特定の材料は、所与の用途及び分配すべき材料のタイプによって決まる。
【００４０】
したがって、流体材料２４が発泡体内で分配される場合、流体２４は、高湿度点から低湿度点に湿度を移行させることによって湿度を平衡にさせる傾向が高い。このようなウィッキング作用により、流体２４はアプリケータ部材１２を通して自然に伝播する。アプリケータ部材１２が外周にないため、図６のノッチ４６及び貫通開口４８は、その用途に必要であれば、装置１０の一方の側から他方の側へのウィッキング作用を容易にする。
【００４１】
また、不織布材料又はファイバを装置の一方の側又は双方の側のアプリケータ１２用の材料として用いてもよい。例えば、網状発泡体を用いてもよい。これらの材料は、頑強である必要があるタイヤ用クリーナ及び塗料剥離剤等のより荒い化学薬品用のアプリケータ１２としてよく適するであろう。
【００４２】
また、装置の一方の側に、よりアグレッシブな洗浄用の研磨材料を設け、その一方で、例えば対向側が研磨タイプの表面を有することができる。
【００４３】
一般に、アプリケータ１２のセル及びサイズ全体のサイズ、密度、及びウィッキング作用を、適用すべき特定の流体に適するように変更することができる。
【００４４】
要するに、定量のかかる流体材料２４を分配することができる新規（new and novel）の計量分配装置１０が提供される。計量分配装置１０は、より効率的且つより効果的な流体計量分配のために流体材料２４がアプリケータ部材１２全体中に均一に分配される、大幅に改良された構造を有する。
【００４５】
当業者は、本発明の精神から逸脱しない限り、図示の実施形態に対し種々の改変及び変更を行うことができることを理解するであろう。かかる変更及び改変は全て、添付の特許請求の範囲によって網羅されることが意図される。
【図面の簡単な説明】
【００４６】
【図１】本発明の計量分配装置の上面斜視図である。
【図２】本発明の計量分配装置の底面斜視図である。
【図３】図１の線３−３に沿った断面図である。
【図４】本発明の第１の代替的な実施形態の上面図である。
【図５】本発明の第２の代替的な実施形態の上面図である。
【図６】流れ促進ノッチを示す、本発明の計量分配装置の上面図である。
【図７】支柱脚部を有する計量筐体の拡大斜視図である。
【図８】コイルばねを有する計量筐体の拡大斜視図である。
【図９】本発明の代替的な一実施形態の上面図である。
【図１】
2007528327.tif 000003
【図２】
2007528327.tif 000004
【図３】
2007528327.tif 000005
【図４】
2007528327.tif 000006
【図５】
2007528327.tif 000007
【図６】
2007528327.tif 000008
【図７】
2007528327.tif 000009
【図８】
2007528327.tif 000010
【図９】
2007528327.tif 000011
【国際調査報告】
2007528327.tif 000012